(57)【要約】【課題】カバーの固定を容易に外すことができるとともにカバーが化粧カバー（箱体）から落下することがない固定構造及びこの固定構造を利用して安全に使用することのできる給湯装置を提供すること。【解決手段】  ケーシングの下部に設けられた基端より幅の大きい先端部を有する係止部材２２ｅを、前記先端部より幅が小さく前記基端部より幅が大きい略長方形の前記第１穴部の一側に連なる第２穴部からなるスリット２２ｅに挿入することで、係止部材２１ｅがスリット２２ｅの縁により係止される。カバーの上部を着脱可能に固定することで、カバーがケーシング（本体）に固定される。これにより、カバーのケーシング（本体）への固定を容易に行うができるとともに、カバーの上部の固定が外れてもカバーがケーシング（本体）から落下することがなく、安全に使用することが可能となる。【選択図】図４
2015068367.tif 000002
【特許請求の範囲】
【請求項１】
被固定物を固定対象に固定する固定構造であって、
前記固定対象には、基端部より幅の大きい先端部を有する第１係止部材が配設され、基端部より幅の大きい先端部を有する２つの第２係止部材が前記第１係止部材の幅方向である一軸方向について前記第１係止部材を挟んで配設され、
前記被固定物の第１部分には、第１スリットが前記第１係止部材に対向して配設され、２つの第２スリットが前記第２係止部材に対向して配設され、
前記第１スリットは、前記先端部より幅が大きい第１穴部と、該第１穴部から前記一軸方向に交差する方向の一側に連なり前記先端部より幅が小さく前記基端部より幅が大きい第２穴部と、を含んで形成され、
前記第２スリットは、前記第１穴部と該第１穴部から前記交差する方向の他側に連なる前記第２穴部を含んで形成され、
前記第１係止部材を前記第１スリットに挿入し、前記２つの第２係止部材を前記２つの第２スリットに挿入し、前記第１部分から離間する前記被固定対象の第２部分を、該第２部分に対向する前記被固定物の対向部に着脱可能に固定することで、前記被固定物が前記固定対象に固定されることを特徴とする固定構造。
【請求項２】
前記第１係止部材は、前記２つの第２係止部材が前記２つの第２スリットの第１穴部に対向する際に前記第１スリットの第２穴部に対向する位置に配置されることを特徴とする、請求項１に記載の固定構造。
【請求項３】
前記第１係止部材の先端は、基端部から先端部に向かう方向である長さ方向について前記第２係止部材の先端よりも更に先端側に配置されることを特徴とする、請求項２に記載の固定構造。
【請求項４】
前記第１係止部材及び前記第２係止部材のうちいずれか一方の先端が前記長さ方向について他方の先端よりもより先端側に配置され、
前記他方の先端は前記長さ方向について前記一方の基端部に対応する位置に配置されることを特徴とする、請求項２に記載の固定構造。
【請求項５】
前記被固定部物の前記第１部分は弾性部材から構成され、
前記被固定物を前記固定対象に固定するに際し、前記被固定物を弾性変形して、前記第１係止部材を前記第１スリットの前記第１穴部に挿入するとともに、前記２つの第２係止部材を前記２つの第２スリットの前記第１穴部に挿入することを特徴とする、請求項１〜３のいずれか１項に記載の固定構造。
【請求項６】
前記交差する方向の一側は、前記被固定物から前記固定対象の方向に等しく、
前記交差する方向の他側は、前記固定対象から前記被固定物の方向に等しいことを特徴とする、請求項１〜５のいずれか一項に記載の固定構造。
【請求項７】
前記固定物の第２部分は、該第２部分に設けられた開口を介して前記対向部にネジを螺入することで固定されることを特徴とする、請求項１〜６のいずれか一項に記載の固定構造。
【請求項８】
給湯装置本体と、
前記給湯装置本体から延設される配管を覆う本体と、該本体の少なくとも一部に設けられた開口をふさぐカバーと、を有する箱体と、を備え、
請求項１〜７のいずれか一項に記載の固定構造により、前記固定対象である前記本体に、前記被固定物である前記カバーが固定されることを特徴とする給湯装置。
【請求項９】
前記箱体は、前記給湯装置本体の下に配置され、
前記係止部及び前記スリットは、それぞれ、前記カバー及び前記本体の下方に設けられることを特徴とする、請求項８に記載の給湯装置。
【発明の詳細な説明】
【技術分野】
【０００１】
本発明は、固定構造及び給湯装置に係り、更に詳しくは、被固定物を固定対象に固定する固定構造及び該固定構造によりカバーが給湯装置本体から延設される配管を覆う箱体に固定される給湯装置に関する。
【背景技術】
【０００２】
給湯装置本体の下端から延設される複数の配管類を隠すために、給湯装置の下方に化粧カバー（箱体）が設けられる。化粧カバーは、例えば、化粧カバーの両側面とこれらを固定する複数の梁とから構成されるケーシングと、ケーシングの前面を覆うカバーと、から構成される。給湯装置が特に屋外に設置される場合、風等による振動を継続的に受けることでカバーが化粧カバー（ケーシング）から外れ、落下する危険がある。
【０００３】
そこで、例えば特許文献１に開示される固定構造では、ケーシングの上部に架設された梁（に固設されたブラケット）に上向きに突片が設けられ、その突片をカバーの上部に設けられたスリットに差し入れることでカバーをケーシングに掛止する。また、ケーシングの下部に架設された梁（に固設されたブラケット）にはネジ穴が設けられている。そこで、さらに、そのネジ穴にカバーの下部に設けられた開口を介してネジを螺入することで、カバーがケーシングに固定される。しかし、上述の構成の固定構造では、給湯装置の配管カバーを固定する場合、梁に上向きに設けられた突片が給湯装置全体の意匠的美観を害してしまう。
【０００４】
また、例えば特許文献２に開示される固定構造は、カバーに固定構造を設けずに取付具を用いるものであり、取付具の一端を固定対象に掛止し他端をネジによって係止するものである。しかし、上述の構成の固定構造では、掛止部分を安定させるための構造を有さず、風等による振動の小さな取付具に使用される構造であって風等による振動の大きなカバーに使用できるものではない。
【０００５】
以上の事情により、カバーの固定方法として、従来は、カバー下面に略長方形のスリットを設け、ケーシング下部に設けられた係止部材を前記スリットに差し込むことで係止し、カバー下部の位置決めを行っていた。そして、ケーシング上部に設けられたネジ穴にカバー上部に設けられた開口を介してネジを螺入することで、カバーがケーシングに固定されるものであった。ネジは、ケーシング内に収納されるガスバルブや水バルブの緊急停止、或いは給湯装置本体の修理作業のために、カバーを容易に外す必要があることから、工具を用いないで手で外すことが可能となる飾りビスを用いることが多かった。
【０００６】
しかし、給湯装置が特に屋外に設置される場合、飾りビスによる手締めのトルク値に限界があることから、カバーをネジによって係止しても、ネジが緩んでしまい、強風等の振動によるカバーの振幅がネジ螺入長を超える場合があった。この場合には、ネジが落下し、カバーがケーシングから外れてしまう。
【先行技術文献】
【特許文献】
【０００７】
【特許文献１】特開２００６−３００２７９号公報
【特許文献２】特開平０８−０４２７５４号公報
【発明の概要】
【発明が解決しようとする課題】
【０００８】
本発明は、カバーの固定を容易に外すことができるとともにカバーが化粧カバー（箱体）から落下することがない固定構造及びこの固定構造を利用して安全に使用することのできる給湯装置を提供することを課題とする。
【課題を解決するための手段】
【０００９】
本発明は、被固定物を固定対象に固定する固定構造であって、前記固定対象には、基端部より幅の大きい先端部を有する第１係止部材が配設され、基端部より幅の大きい先端部を有する２つの第２係止部材が前記第１係止部材の幅方向である一軸方向について前記第１係止部材を挟んで配設され、前記被固定物の第１部分には、第１スリットが前記第１係止部材に対向して配設され、２つの第２スリットが前記第２係止部材に対向して配設され、
前記第１スリットは、前記先端部より幅が大きい第１穴部と、該第１穴部から前記一軸方向に交差する方向の一側に連なり前記先端部より幅が小さく前記基端部より幅が大きい第２穴部と、を含んで形成され、前記第２スリットは、前記第１穴部と該第１穴部から前記交差する方向の他側に連なる前記第２穴部を含んで形成され、前記第１係止部材を前記第１スリットに挿入し、前記２つの第２係止部材を前記２つの第２スリットに挿入し、前記第１部分から離間する前記被固定対象の第２部分を、該第２部分に対向する前記被固定物の対向部に着脱可能に固定することで、前記被固定物が前記固定対象に固定されることを特徴とする固定構造である。
【００１０】
これによれば、前記係止部材を前記スリットに挿入することで前記係止部材の前記先端部が前記スリットの縁により係止され、前記被固定物の前記第２部分を前記固定対象の対向部に着脱可能に固定することで前記被固定物が前記固定対象に固定される。
【００１１】
また、本発明の固定構造は、前記第１係止部材は、前記２つの第２係止部材が前記２つの第２スリットの第１穴部に対向する際に前記第１スリットの第２穴部に対向する位置に配置されることを特徴とする。
【００１２】
これによれば、前記被固定対象の前記スリットに前記係止部材を挿入した際に、第１係止部材又は第２係止部材の少なくとも１つが、スリットの第２穴部に係止され、スリットより抜けることなく、前記被固定物を前記固定対象に固定することができる。
【００１３】
また、本発明の固定構造は、前記第１係止部材の先端は、基端部から先端部に向かう方向である長さ方向について前記第２係止部材の先端よりも更に先端側に配置されることを特徴とする。
【００１４】
これによれば、第１係止部材のみをスリットに挿入することができる。この効果については後述する。
【００１５】
また、本発明の固定構造は、前記第１係止部材及び前記第２係止部材のうちいずれか一方の先端が前記長さ方向について他方の先端よりもより先端側に配置され、前記他方の先端は前記長さ方向について前記一方の基端部に対応する位置に配置されることを特徴とする。
【００１６】
これによれば、第１係止部材及び第２係止部材のうちいずれか一方ののみをスリットの第１穴部に挿入し、第２穴部に移動することができる。この効果については後述する。
【００１７】
また、本発明の固定構造は、前記被固定物の前記第１部分は弾性部材から構成され、前記被固定物を前記固定対象に固定するに際し、前記被固定物を弾性変形して、前記第１係止部材を前記第１スリットの前記第１穴部に挿入するとともに、前記２つの第２係止部材を前記２つの第２スリットの前記第１穴部に挿入することを特徴とする。
【００１８】
これによれば、被固定物を固定対象に固定する際には、全ての係止部材をスリットの第１穴部に挿入することができる。
【００１９】
また、本発明の固定構造は、前記交差する方向の一側は、前記被固定物から前記固定対象の方向に等しく、前記交差する方向の他側は、前記固定対象から前記被固定物の方向に等しいことを特徴とする。
【００２０】
これによれば、被固定物が固定対象の一面を覆うように固定することができる。
【００２１】
また、本発明の固定構造は、前記固定物の第２部分は、該第２部分に設けられた開口を介して前記対向部にネジを螺入することで固定されることを特徴とする。
【００２２】
これによれば、被固定物の第２部分を、固定対象に着脱可能に固定することができる。
【００２３】
また、本発明は、給湯装置本体と、前記給湯装置本体から延設される配管を覆う本体と、該本体の少なくとも一部に設けられた開口をふさぐカバーと、を有する箱体と、を備え、
請求項１〜５のいずれか一項に記載の固定構造により、前記固定対象である前記本体に、前記被固定物である前記カバーが固定されることを特徴とする給湯装置である。
【００２４】
これによれば、カバーが箱体から落下することなく、安全に使用することができる。
【００２５】
また、本発明の給湯装置は、前記箱体は、前記給湯装置本体の下に配置され、前記係止部及び前記スリットは、それぞれ、前記カバー及び前記本体の下方に設けられることを特徴とする。
【００２６】
これによれば、カバーを、その下端を軸として傾斜可能に本体に取り付けることができ、それによりカバーの上方を開けることができる。
【発明の効果】
【００２７】
本発明の固定構造によると、被固定物の固定対象への固定を容易に外すことができるとともに、被固定物の第２部分の固定が外れても被固定物が固定対象から外れて落下することがなく、安全に使用することが可能となる。
【００２８】
また、本発明の給湯装置によると、本発明の固定構造を利用することで、被固定物が固定対象から落下することなく、安全に使用することが可能となる。
【図面の簡単な説明】
【００２９】
【図１】図１（Ａ）及び（Ｂ）は、それぞれ、一実施形態に係る給湯装置の全体構成を示す正面図及び側面図である。
【図２】図２は、一実施形態に係る化粧カバーを構成するケーシング（本体）とカバーの概略構成を示す分解斜視図である。
【図３】図３（Ａ）はスリットを、（Ｂ）及び（Ｃ）は係止部材とスリットの関係を示す斜視図である。
【図４】図４（Ａ）〜（Ｄ）は、係止部材とスリットの位置関係を示す平面図である。
【図５】図５（Ａ）は、係止部材を示す正面図、（Ｂ）〜（Ｅ）は係止部材とスリットの位置関係を示す平面図である。
【図６】図６（Ａ）は、係止部材を示す正面図、（Ｂ）〜（Ｄ）は係止部材とスリットの位置関係を示す平面図である。
【発明を実施するための形態】
【００３０】
以下、本発明の実施形態を、説明する。
【実施例１】
【００３１】
図１に、本実施形態に係る給湯装置１を示す。給湯装置１は、給湯装置本体１０と、化粧カバー２０と、を備える。
【００３２】
給湯装置本体１０は、例えば、家屋外の地面Ｆ上に脚部２３を介して配置され、その筐体１１の上面がＬ字状の固定具１３を用いて家屋等の壁面Ｗに固定される。ここで、給湯装置本体１０の下端から湯水等を屋内に供給するための配管類１５（図１において点線を用いて示す）が、壁面Ｗを介して屋内に延設されている。
【００３３】
図２に、化粧カバー２０の分解斜視図を与える。化粧カバー２０は、ケーシング（本体）２１と、カバー２２と、から構成される。図中、ケーシング（本体）２１とカバー２２は、基準軸Ｌについて分解して示されている。
【００３４】
（固定対象の構造）
本体２１は、平板状の２つの側面２１ｄと、両端に取付片が設けられた３つの梁２１ａ，２１ｃ，２１ｇと、から構成される。ここで、梁２１ａには、２つのネジ穴２１ｆが形成されている。また、梁２１ｃには、２つのスリット２１ｅが形成されている。
【００３５】
２つの側面２１ｄはＸ軸方向の一側と他側にそれぞれの内面を対向して配置され、それらの前部上側（−Ｙ，＋Ｚ側）の端部が梁２１ａにより、それらの前部下側（−Ｙ，−Ｚ側）の端部が梁２１ｃにより、それらの後部下側（＋Ｙ，−Ｚ側）の端部が梁２１ｇにより、連結されている。梁２１ａ，２１ｃ及び梁２１ｇは、一面をそれぞれ前方（−Ｙ方向）及び後方（＋Ｙ方向）に向け、取付片を側面２１ｄの内面に当接して、ネジ、ビス等の固定具を用いて或いは溶接により側面２１ｄに固定されている。なお、梁の数、形状、材質等及び側面２１ｄへの取付方法は、側面２１ｄを支持するのに十分な強度が得られるよう適当に定めることとする。
【００３６】
本体２１は、図１に示すように、給湯装置本体１０の下（−Ｚ側）に、２つの側面２１ｄの外面が給湯装置本体１０の筐体１１の側面と略面一に、配置される。これにより、給湯装置本体１０の下端から延びる配管類１５が、２つの側面２１ｄの間を上下（Ｚ軸方向）及び前後（Ｙ軸方向）に通って、屋内に向かって配設されることとなる。
【００３７】
本体２１の下端には下端面２１ｈが前側（−Ｙ側）に設けられ、下端面２１ｈには３つの係止部材２１ｅが突設されている。この係止部材２１ｅは、下端面２１ｈの−Ｙ端を＋Ｚ方向に屈曲することで下端面２１ｈと一体的に形成してもよいし、別部材を下端面２１ｈに溶接等により固定することで形成してもよい。
【００３８】
（被固定物の構造）
カバー２２は、前面２２ａと、上面２２ｂ及び下面２２ｃと、フランジ２２ｄと、を含んで形成されている。
【００３９】
前面２２ａは、−Ｙ方向に凸状に形成されている。前面２２ａの上端（＋Ｚ端）近傍には、後述するように固定具（ネジ３１）を通すための２つの孔２２ｆが設けられている。
【００４０】
上面２２ｂ及び下面２２ｃは、略等脚台形状の平板であり、それぞれ前面２２ａの上端及び下端に固設されている。下面２２ｃには、３つのスリット２２ｅが設けられている。スリット２２ｅの構造については後述する。
【００４１】
（固定構造）
図３に、係止構造３０を示す。図３（Ａ）にスリットを示した。スリット２２ｅは、幅ｓ１の略長方形の第１穴部２２ｅ１と、第１穴部の幅方向に交差する方向に連なる幅ｓ２の略長方形の第２穴部２２ｅ２とを有し、凸字状である。
【００４２】
図３（Ｂ）に係止部材をスリットに合わせて示した。係止部材２１ｅは、幅ｔ１の略長方形の基端部と、幅（長底辺の長さ）ｔ２の略等脚台形の先端部とを有する。ｓ１、ｓ２、ｔ１、ｔ２は、ｓ１＞ｔ２＞ｓ２＞ｔ１の関係にある。先端部は、第１穴部を通過するが、第２穴部を通過しない。基端部は、第１穴部及び第２穴部のいずれにも挿入され得る。図は、先端部については第１穴部を通過させ、基端部を第１穴部に挿入した状態を示す。
【００４３】
図３（Ｃ）に係止部材をスリットに合わせて示した。図３（Ｂ）と異なり、基端部を第２穴部に挿入した状態である。先端部は第２穴部を通過しないので、この状態からは、基端部が第１穴部に移動しない限り、係止部材２１ｅがスリット２２ｅを外れることがない。
【００４４】
図４に、係止部材とスリットの位置関係を示す。図４（Ａ）に係止部材の位置を示す。下端面２１ｈの−Ｙ端に、３つの係止部材２１ｅが設けられている。中央の係止部材が第１係止部材、両端の係止部材が第２係止部材である。第１係止部材及び第２係止部材は、いずれも図３（Ｂ）に示した通りの形状である。（第１係止部材及び第２係止部材は同形状である。）
【００４５】
図４（Ｂ）にスリットの位置を示す。下面２２ｃに３つのスリット２２ｅが設けられている。中央のスリットが第１スリット、両端のスリットが第２スリットである。第１スリットと第２スリットとは、凸字形状が逆に向いている。第１スリットの第１穴部と第２スリットの第１穴部とはＹ座標を異にしている。すなわち、Ｘ軸に平行な直線が３つのスリット全ての第１穴部を通ることはない。
【００４６】
カバー２２をケーシング本体２１に取り付ける手順は、以下のとおりである。まず、カバー２２の±Ｘ端を両手で把持して、３つのスリット２２ｅをそれぞれ対向する係止部材２１ｅの上に配置する。
【００４７】
係止部材とスリットとが上記の位置関係にあると、Ｘ軸に平行に配された３つの係止部材を、そのままで３つのスリットの第１穴部に挿入することができない。そこで、カバー２２（下面２２ｃ）の中央を−Ｙ方向に引いて（またはカバー２２の±Ｘ端を狭めるように圧縮して）、下面２２ｃを弾性変形させる。図４（Ｃ）に弾性変形後のスリットの位置を示す。弾性変形によって３つのスリット全ての第１穴部の箇所に係止部材が位置する。この状態において、カバー２２を下方に移動し、３つの係止部材を３つのスリットの第１穴部に挿入する。なお、図４（Ｃ）は、理解を容易にするために下面２２ｃの変形（湾曲）度合いを実際よりも大きく描いたものである。
【００４８】
図４（Ｄ）に、弾性変形が解消した状態での係止部材とスリットの位置関係を示す。３つの係止部材の全てが３つのスリットの第１穴部に配されることはなく、カバー２２がケーシング本体２１から外れることはない。
【００４９】
力が加わってカバー２２が移動しても、カバー２２がケーシング本体２１から外れることはない。正面又は背面からの力（Ｙ方向の風に起因すると考えられる）に対しては、第１係止部材又は第２係止部材の一方が対向するスリットの第２穴部に配される。ＸＹ平面で回転する力（Ｘ方向の風に起因すると考えられる）に対しては、２つの第２係止部材のいずれか１つが対向するスリットの第２穴部に配される。
【００５０】
上述の通り、係止部材２１ｅをスリット２２ｅに挿入することで、係止部材２１ｅの先端部がＺ軸方向に係止される。これにより、係止部材２１ｅ（カバー２２）が下端面２１ｈ（本体２１）から外れることがない。
【００５１】
カバー２２を本体２１に固定して本体２１（側面２１ｂ）の前面の開口を塞いで化粧カバー２０を形成することで、給湯装置本体１０の下端から延びる配管類１５が隠される。
【００５２】
また、３つの係止構造はカバー２２と本体２１との間に直線状に配されており、カバー２２の上部の固定を外せば、カバー２２を本体２１に対して傾ける（ＹＺ平面で回転させる）ことができる。
【００５３】
なお、カバー２２を本体２１から取り外す場合、逆の手順に従うことで容易に取り外すことができる。
【００５４】
以上、詳細に説明したように、本発明に係る固定構造３０を利用して、係止部材２１ｅが、スリット２２ｅに挿入されることで係止部材２１ｅの少なくとも１つがスリット２２ｅの第２穴部により係止され、カバー２２の上部を本体に着脱可能に固定することで、カバー２２がケーシング（本体）２１に固定される。これにより、カバー２２のケーシング（本体）２１への固定を容易に外すことができるとともに、カバー２２の上部の固定が外れてもカバー２２がケーシング（本体）から落下することがなく、安全に使用することが可能となる。
【００５５】
また、本実施形態の化粧カバー２０では、カバー２２を本体２１に対して傾けることができる。そこで、化粧カバー２０内の配管類１５等の観察或いは簡単な整備を要する場合、カバー２２を本体２１から取り外さず、ネジ３１を外してカバー２２の上部の固定のみを外し、カバー２２を手前（−Ｙ側）に倒してその上方のみを開けて処理することもできる。
【００５６】
また、本実施形態の給湯装置１の化粧カバー２０では、ネジ３１を用いて、カバー２２（の上部）を本体２１（梁２１ａ）に着脱可能に固定したが、これに限らず、着脱可能に固定することができるものであれば適当な固定具（留め具）を使用してよい。
【００５７】
また、本実施形態の固定構造では、３対の係止部材２１ｅとスリット２２ｅを採用したが、４対以上であってもよい。必要とする取り付け強度に応じて、その数を適当に定めることができる。その際、弾性変形による取り付けと回転力への耐性とに鑑み、両端に各１個以上の第２スリットを設け、その間の中央に１個以上の第１スリットを設けることが好ましい。
【００５８】
また、本実施形態の固定構造では、カバー２２が弾性を有するものとしたが、係止部材２１ｅが弾性を有し、係止部材を前後に移動させてカバーを取り付けてもよい。
【００５９】
また、本実施形態の給湯装置１の化粧カバー２０は、本体２１の前面が全て開き、この前面を同形状のカバー２２を用いて覆う構成を採用したが、これに限られず、本体２１に前面を設け、その一部に設けられて開口をその開口と同形状又はそれより大きい形状のカバーを用いて覆う構成を採用することもできる。また、前面でなく側面、後面、或いは下面が開く構成とし、その一面を、カバー２２を用いて覆う構成を採用してもよい。
【００６０】
本実施形態の給湯装置１では、給湯装置本体１０の下端から延設される配管類１５を隠すために、給湯装置本体１０の下に化粧カバー２０を配置したが、配管類１５の延設方向に応じて化粧カバー２０を配置することができる。例えば、給湯装置本体１０の上に化粧カバー２２を配置してもよい。
【００６１】
また、本実施形態の固定構造３０は、給湯装置１の化粧カバー２０においてのみ利用可能なものではなく、被固定物を固定対象に固定するあらゆるものに利用することができる。
【実施例２】
【００６２】
本実施例は、長さの異なる係止部材を用いるものである。カバー２２をケーシング本体２１に取り付ける手順のみが実施例１と異なる。この部分を説明し、他の説明は実施例１と同様なので省略する。
【００６３】
（一形態）
図５（Ａ）に、係止部材を示す。図の中央は第１係止部材２１ｅ１であり、両端は第２係止部材２１ｅ２である。第１係止部材２１ｅ１の先端は、第２係止部材２１ｅ２の先端よりもより先端側に配置されている。第１係止部材２１ｅ１の基端部は第２係止部材２１ｅ２の基端部よりも長い。
【００６４】
カバー２２をケーシング本体２１に取り付ける手順は、以下のとおりである。まず、カバー２２の±Ｘ端を両手で把持して、３つのスリット２２ｅをそれぞれ対向する係止部材２１ｅの上に配置する。
【００６５】
この状態で、第１係止部材２１ｅ１の先端を第１スリットの第１穴部に挿入する。図５（Ｂ）にかかる挿入後の状態を示す。なお、図において係止部材はスリットに挿入されたもののみを示し、スリットに挿入されずに下面２２ｃの下側にあるものは表示しない。（以下、図５（Ｃ）〜（Ｅ）、図６（Ｂ）〜（Ｄ）において同様。）
【００６６】
そこで、カバー２２の±Ｘ端を狭めるように圧縮して、下面２２ｃを弾性変形させる。図５（Ｃ）に弾性変形後のスリットの位置を示す。弾性変形によって３つのスリット全ての第１穴部の箇所に係止部材が位置する。第１係止部材２１ｅ１の先端が第１スリットの第１穴部に挿入され第１スリットの位置が固定されるので、弾性変形によって３つのスリットの位置を合わせることが、実施例１よりも容易である。この状態において、カバー２２を下方に移動し、３つの係止部材を３つのスリットの第１穴部に挿入する。図５（Ｄ）に挿入後のスリット及び係止部材を示す。
【００６７】
図５（Ｅ）に、弾性変形が解消した状態での係止部材とスリットの位置関係を示す。３つの係止部材の全てが３つのスリットの第１穴部に配されることはなく、カバー２２がケーシング本体２１から外れることはない。
【００６８】
（他形態）
図６（Ａ）に、係止部材を示す。図の中央は第１係止部材２１ｅ１であり、両端は第２係止部材２１ｅ２である。第１係止部材２１ｅ１の先端は、第２係止部材２１ｅ２の先端よりもより先端側に配置されている。第１係止部材２１ｅ１の基端部は第２係止部材２１ｅ２の基端部よりも長い。
【００６９】
前述の形態との相違は、第１係止部材２１ｅ１の基端部が第２係止部材２１ｅ２の基端部よりも十分に長く、第２係止部材２１ｅ２の先端が第１係止部材２１ｅ１の基端部に対応する位置に配置されることである。これにより、第２係止部材２１ｅ２をスリットに挿入せずに、第１係止部材２１ｅ１の基端部を第１スリットの第２穴部に移動させることができる。
【００７０】
カバー２２をケーシング本体２１に取り付ける手順は、以下のとおりである。まず、第１係止部材２１ｅ１の先端部を第１スリットの第１穴部に挿入し（図６（Ｂ）参照）、第１係止部材２１ｅ１の基端部を第１スリットの第２穴部に移動させる（図６（Ｃ）参照）。
【００７１】
その後、カバー２２を下方に移動し、第２係止部材を第２スリットの第１穴部に挿入する。この操作は、下面２２ｃを弾性変形させずに行うことができる。
【００７２】
図６（Ｄ）に、全ての係止部材を挿入した状態での係止部材とスリットの位置関係を示す。３つの係止部材の全てが３つのスリットの第１穴部に配されることはなく、カバー２２がケーシング本体２１から外れることはない。
【００７３】
以上、３つの係止部材及びスリットの例を説明したが、本形態は弾性変形を必要としないので、４つ以上の係止部材及びスリットでも適用することができる。また、係止部材の位置に依存せずに適用できるので、第１係止部材２１ｅ１でなく第２係止部材２１ｅ２を長くすることもできる。
【産業上の利用可能性】
【００７４】
本発明の固定構造は、被固定物を固定対象に固定するのに好適である。また、本発明の給湯装置は、給湯装置本体から延設される配管を隠す化粧カバーが落下することなく、且つ容易に取り外すことができ、安全に使用する上で好適である。
【符号の説明】
【００７５】
１…給湯装置
１０…給湯装置本体
１５…配管類
２０…化粧カバー
２１…ケーシング（本体）
２１ａ，２１ｃ，２１ｇ…梁
２１ｂ…側面
２１ｄ…側面
２１ｅ…係止部材
２１ｆ…ネジ穴
２１ｈ…下端面
２２（２２ａ，２２ｂ，２２ｃ，２２ｄ）…カバー（前面、上面、下面、側面）
２２ｅ…スリット
２２ｆ…固定具用の孔
３０…係止構造
３１…ネジ
【図１】
2015068367.tif 000003
【図２】
2015068367.tif 000004
【図３】
2015068367.tif 000005
【図４】
2015068367.tif 000006
【図５】
2015068367.tif 000007
【図６】
2015068367.tif 000008